(57)【要約】  オス型コネクタは、単列に配列された複数の内部端子と、複数の内部端子を互いに電気的に絶縁した状態で保持する絶縁性部材と、を備え、絶縁性部材は、少なくとも一方向が開放された箱型の形状を有し、４つの側壁部として、互いに対向して長手方向に延びる第１および第２の側壁部と、互いに対向して短手方向に延びる第３および第４の側壁部とを有し、第１の側壁部は、複数の内部端子を単列に並んだ状態で保持する保持部を有する。
2019220930.tif 000002
【特許請求の範囲】
【請求項１】
単列に配列された複数の内部端子と、
前記複数の内部端子を互いに電気的に絶縁した状態で保持する絶縁性部材と、を備え、
前記絶縁性部材は、少なくとも一方向が開放された箱型の形状を有し、４つの側壁部として、互いに対向して長手方向に延び、並行な第１および第２の側壁部と、互いに対向して短手方向に延びる第３および第４の側壁部とを有し、
前記第１の側壁部は、前記複数の内部端子を単列に並んだ状態で保持する保持部を有する、
オス型コネクタ。
【請求項２】
前記絶縁性部材は、前記４つの側壁部を支持する底部を有する、請求項１に記載のオス型コネクタ。
【請求項３】
外部端子をさらに備え、
前記外部端子は、互いに別体である第１の外部端子および第２の外部端子を有し、
前記第３の側壁部は前記第１の外部端子を保持し、前記第４の側壁部は前記第２の外部端子を保持する、請求項１又は２に記載のオス型コネクタ。
【請求項４】
前記内部端子のそれぞれは、前記第１の側壁部の前記保持部に係合する係合部と、前記係合部から延びる実装部とを備え、
前記実装部が延びる方向は、前記第１の側壁部に対して前記第２の側壁部が位置する側の逆側に向かう方向である、請求項１から３のいずれか１つに記載のオス型コネクタ。
【請求項５】
前記絶縁性部材は樹脂製であり、前記第２の側壁部は前記樹脂のみから成る列を形成している、請求項１から４のいずれか１つに記載のオス型コネクタ。
【請求項６】
前記第２の側壁部の頂面は平坦である、請求項１から５のいずれか１つに記載のオス型コネクタ。
【発明の詳細な説明】
【技術分野】
【０００１】
本発明は、オス型コネクタに関する。
【背景技術】
【０００２】
従来より、オス型コネクタ、および、オス型コネクタとメス型コネクタとを互いに嵌合して構成されるコネクタセットが開示されている（例えば、特許文献１参照）。【０００３】
特許文献１のオス型コネクタは、複数の内部端子を備える多極コネクタである。当該コネクタは、複数の内部端子と、回路基板に固定される外部端子と、内部端子と外部端子を互いに電気的に絶縁した状態で保持する絶縁性部材とを備える。【０００４】
特許文献１に開示されるコネクタは、複数の内部端子を１列のみ配列した１列構造多極コネクタである。これらの内部端子を保持する絶縁性部材は、複数の内部端子を保持する凹凸を有した列状の中央部と、中央部の周囲に間隔を空けて環状に設けられた側壁部とを有する。側壁部に密着するように外部端子が設けられている。
【先行技術文献】
【特許文献】
【０００５】
【特許文献１】国際公開第２０１６／１７８３５６号公報
【発明の概要】
【発明が解決しようとする課題】
【０００６】
高周波用の多極コネクタは、携帯電話、ＰＣ（パーソナルコンピュータ）、タブレット等の小型化、高機能化に対応するため、さらなる小型化が必要になる。特許文献１のコネクタでは、絶縁性部材が中央部を囲む側壁部を有しているため、横方向に寸法が大きくなるという課題がある。仮に側壁部を取り除いて中央部を残したとすると、コネクタが内部端子の配列方向に長くなって、コネクタに力が加わると撓みやすくなる。コネクタが撓むと強度不足で折れる可能性がある。強度不足を補うために例えば内部端子の幅を太くすると、信号の流れる経路が長くなり、信号ロスが大きくなったり、インピーダンスがずれてＶＳＷＲ特性が劣化するおそれがある。【０００７】
従って、本発明の目的は、小型化と高強度化の両方を実現することができるオス型コネクタを提供することにある。
【課題を解決するための手段】
【０００８】
上記目的を達成するために、本発明のオス型コネクタは、単列に配列された複数の内部端子と、前記複数の内部端子を互いに電気的に絶縁した状態で保持する絶縁性部材と、を備え、前記絶縁性部材は、少なくとも一方向が開放された箱型の形状を有し、４つの側壁部として、互いに対向して長手方向に延び、並行な第１および第２の側壁部と、互いに対向して短手方向に延びる第３および第４の側壁部とを有し、前記第１の側壁部は、前記複数の内部端子を単列に並んだ状態で保持する保持部を有する。
【発明の効果】
【０００９】
本発明のオス型コネクタによれば、小型化と高強度化を実現することができる。
【図面の簡単な説明】
【００１０】
【図１】実施の形態のコネクタセットを示す斜視図
【図２Ａ】実施の形態のオス型コネクタの斜視図
【図２Ｂ】実施の形態のオス型コネクタの分解斜視図
【図２Ｃ】実施の形態のオス型コネクタの平面図
【図３Ａ】実施の形態のメス型コネクタの斜視図
【図３Ｂ】実施の形態のメス型コネクタの分解斜視図
【図３Ｃ】実施の形態のメス型コネクタの平面図
【図４】実施の形態の第１のインピーダンス調整端子、第１の内部端子および隣接する第３の内部端子を示す斜視図
【図５】実施の形態の変形例における第１のインピーダンス調整端子、第１の内部端子および隣接する第３の内部端子を示す斜視図
【発明を実施するための形態】
【００１１】
本発明の第１態様によれば、単列に配列された複数の内部端子と、前記複数の内部端子を互いに電気的に絶縁した状態で保持する絶縁性部材と、を備え、前記絶縁性部材は、少なくとも一方向が開放された箱型の形状を有し、４つの側壁部として、互いに対向して長手方向に延び、並行な第１および第２の側壁部と、互いに対向して短手方向に延びる第３および第４の側壁部とを有し、前記第１の側壁部は、前記複数の内部端子を単列に並んだ状態で保持する保持部を有する、オス型コネクタを提供する。
【００１２】
このような構成によれば、オス型コネクタが内部端子の配列方向に長くなり、撓みやすくなるのに対して、絶縁性部材の形状を４つの側壁部を有する箱型とすることで、オス型コネクタにかかる力をバランス良く分散させることができる。これにより高強度化を実現することができる。さらに、絶縁性部材の第１の側壁部で内部端子を保持するため、側壁部の内側に内部端子を保持する列を別途設ける場合と比べて寸法を小さくすることができ、小型化を図ることができる。
【００１３】
本発明の第２態様によれば、前記絶縁性部材は、前記４つの側壁部を支持する底部を有する、第１態様に記載のオス型コネクタを提供する。このような構成によれば、絶縁性部材の底部を設けない場合に比べて、高強度化を図ることができる。
【００１４】
本発明の第３態様によれば、外部端子をさらに備え、前記外部端子は、互いに別体である第１の外部端子および第２の外部端子を有し、前記第３の側壁部は前記第１の外部端子を保持し、前記第４の側壁部は前記第２の外部端子を保持する、第１態様又は第２態様に記載のオス型コネクタを提供する。このような構成によれば、外部端子を２つ設けるとともに、内部端子を保持する第１の側壁部とは別の第３の側壁部と第４の側壁部にそれぞれ保持させることで、効率的な配置とすることができる。
【００１５】
本発明の第４態様によれば、前記内部端子のそれぞれは、前記第１の側壁部の前記保持部に係合する係合部と、前記係合部から延びる実装部とを備え、前記実装部が延びる方向は、前記第１の側壁部に対して前記第２の側壁部が位置する側の逆側に向かう方向である、第１態様から第３態様のいずれか１つに記載のオス型コネクタを提供する。このような構成によれば、絶縁性部材の設計を行う際に、実装部の形状による制約をなるべく受けないようすることができる。
【００１６】
本発明の第５態様によれば、前記絶縁性部材は樹脂製であり、前記第２の側壁部は前記樹脂のみから成る列を形成している、第１態様から第４態様のいずれか１つに記載のオス型コネクタを提供する。このような構成によれば、絶縁性部材を安価に作りつつ、第２の側壁部の列による補強構造も安価に作ることができる。
【００１７】
本発明の第６態様によれば、前記第２の側壁部の頂面は平坦である、第１態様から第５態様のいずれか１つに記載のオス型コネクタを提供する。このような構成によれば、第１の側壁部のように凹部のある形状と比較して、第２の側壁部は応力の集中しやすい部分が生じにくくなり、オス型コネクタの破損を抑制することができる。
【００１８】
以下に、本発明にかかる実施の形態を図面に基づいて詳細に説明する。
【００１９】
（実施の形態）
図１は、実施の形態のコネクタセット２を示す斜視図である。図１に示すように、コネクタセット２は、第１のコネクタであるオス型コネクタ４と、第２のコネクタであるメス型コネクタ６とを備える。オス型コネクタ４とメス型コネクタ６を互いに嵌合してコネクタセット２が構成されている。
【００２０】
オス型コネクタ４とメス型コネクタ６は別々の回路基板（図示せず）に実装される。オス型コネクタ４は第１の回路基板（図示せず）に実装され、メス型コネクタ６は第２の回路基板（図示せず）に実装される。特に、オス型コネクタ４が実装される第１の回路基板はフレキシブル基板である。
【００２１】
図２Ａ−図２Ｃにオス型コネクタ４を示す。図２Ａは、オス型コネクタ４の斜視図、図２Ｂは、オス型コネクタ４の分解斜視図、図２Ｃは、オス型コネクタ４の平面図である。図２Ａ−図２Ｃに示すオス型コネクタ４の向きは、図１に示すオス型コネクタ４の向きと上下逆転している。
【００２２】
図２Ａ−図２Ｃに示すように、オス型コネクタ４は、内部端子８と、外部端子１０と、絶縁性部材１２とを備える。オス型コネクタ４は長手方向と短手方向とを有し、長手方向をＡ方向、短手方向をＢ方向とする。長手方向と短手方向の両方に直交する上下方向をＣ方向とする。
【００２３】
内部端子８は、後述するメス型コネクタ６の内部端子２０（図３Ａ等）と嵌合して電気的に接続する端子である。内部端子８は複数設けられるとともに、長手方向であるＡ方向に沿って配列される。実施の形態における内部端子８の列は複数列ではなく、一列のみの単列である。
【００２４】
内部端子８のそれぞれは、絶縁性部材１２に係合する係合部８Ａと、係合部８Ａから延びる実装部８Ｂとを備える。実装部８Ｂは、前述した第１の回路基板（図示せず）に実装される部分である。実装部８Ｂのそれぞれは、短手方向であるＢ方向のうちのＢ１方向に延びる。
【００２５】
内部端子８のそれぞれは形状およびサイズが同じのものが用いられる。内部端子８のそれぞれは同じ導電性の材料から形成される（例えばリン青銅）。
【００２６】
外部端子１０は、後述するメス型コネクタ６の外部端子２２（図３Ａ等）と嵌合して電気的に接続する端子である。実施の形態では外部端子１０は２つ設けられており、第１の外部端子１０Ａと第２の外部端子１０Ｂを備える。第１の外部端子１０Ａおよび第２の外部端子１０Ｂは互いに独立した別体の端子であり、Ａ方向において対向する位置に設けられている。
【００２７】
内部端子８と同様に、外部端子１０のそれぞれは形状およびサイズが同じのものが用いられる。外部端子１０のそれぞれは同じ導電性の材料から形成される（例えばリン青銅）。
【００２８】
絶縁性部材１２は、内部端子８と外部端子１０を互いに電気的に絶縁した状態で保持する部材である。絶縁性部材１２は、絶縁性の材料である樹脂から形成される（例えば液晶ポリマー）。
【００２９】
図２Ｂに示すように、絶縁性部材１２は、Ｃ方向のうちの一方向（本実施の形態では上方向）であるＣ１方向に開放された箱型の形状を有する。絶縁性部材１２は、４つの側壁部１４Ａ、１４Ｂ、１４Ｃ、１４Ｄと、底部１６とを備える。
【００３０】
４つの側壁部１４Ａ−１４Ｄは、内側に空間を形成するように連続的に接続された側壁部である。４つの側壁部１４Ａ−１４Ｄとして、第１の側壁部１４Ａ、第２の側壁部１４Ｂ、第３の側壁部１４Ｃおよび第４の側壁部１４Ｄが設けられる。
【００３１】
第１の側壁部１４Ａおよび第２の側壁部１４Ｂは互いに対向する位置に設けられた側壁部であり、長手方向のＡ方向に延びる。第３の側壁部１４Ｃおよび第４の側壁部１４Ｄは互いに対向する位置に設けられた側壁部であり、短手方向のＢ方向に延びる。
【００３２】
第１の側壁部１４Ａは、複数の内部端子８を保持する。第１の側壁部１４Ａには、内部端子８の係合部８Ａが嵌合して係合する凹部１８が設けられている。凹部１８は、内部端子８を保持する保持部として機能する。保持部としては、凹部１８に限らず、内部端子８を保持できるものであれば任意の形態（凹凸など）であってもよい。第１の側壁部１４Ａは凹部１８を有しているため、オス型コネクタ４が上下方向であるＣ方向に屈曲して撓んだときに、応力が集中する箇所が生じやすい。
【００３３】
第２の側壁部１４Ｂは、第１の側壁部１４Ａに並行して設けられる。第２の側壁部１４Ｂは、第１の側壁部１４Ａと並行した列を形成する。実施の形態の第２の側壁部１４Ｂは、第１の側壁部１４Ａと同じＡ方向に延びており、第１の側壁部１４Ａと平行である。第２の側壁部１４Ｂには、第１の側壁部１４Ａのような凹部１８は設けられておらず、第２の側壁部１４Ｂの頂面は、外部端子１０を保持する箇所を除いて平坦に形成されている。
【００３４】
第２の側壁部１４Ｂが第１の側壁部１４Ａと並行した列を形成することで、オス型コネクタ４がＣ方向に屈曲して撓んだときに、第１の側壁部１４Ａと第２の側壁部１４Ｂで生じる応力をバランス良く分散させることができる。これにより、特に第１の側壁部１４Ａでの応力の集中を抑制することができ、オス型コネクタ４の高強度化を実現することができる。
【００３５】
第３の側壁部１４Ｃは、第１の外部端子１０Ａを保持する。第４の側壁部１４Ｄは、第２の外部端子１０Ｂを保持する。これらの外部端子１０は、オス型コネクタ４とメス型コネクタ６を互いに嵌合させる際の誘い込み（案内）機能、並びに、グランド端子としての機能を有する。
【００３６】
第１の外部端子１０Ａは、第３の側壁部１４Ｃに加えて、第１の側壁部１４Ａおよび第２の側壁部１４Ｂの角部にも跨っている。第２の外部端子１０Ｂは、第４の側壁部１４Ｄに加えて、第１の側壁部１４Ａおよび第２の側壁部１４Ｂの他方側の角部にも跨っている。
【００３７】
第１の側壁部１４Ａのうち、第１の外部端子１０Ａおよび第２の外部端子１０Ｂが跨っている角部以外の箇所に、複数の内部端子８を保持する凹部１８が形成されている。
【００３８】
第２の側壁部１４Ｂのうち、第１の外部端子１０Ａおよび第２の外部端子１０Ｂが跨っている角部以外の箇所は頂面が平坦に形成されており、凹部が形成されていない。
【００３９】
底部１６は、上述した４つの側壁部１４Ａ−１４Ｄを支持する部分である。底部１６を設けることで、絶縁性部材１２はＡ方向、Ｂ方向およびＣ方向の６方向のうち、Ｃ１方向のみの１方向に開放された箱状の形状となる。このような構成によれば、底部１６を設けない構成、すなわち、上方向と下方向の２方向に開放された箱型の場合よりも、オス型コネクタ４の強度を向上させることができる。
【００４０】
上述したように、実施の形態のオス型コネクタ４は、単列に配列された複数の内部端子８と、複数の内部端子８を互いに電気的に絶縁した状態で保持する絶縁性部材１２と、を備える。絶縁性部材１２は、上方であるＣ１方向が開放された箱型の形状を有し、４つの側壁部１４Ａ−１４Ｄを有する。４つの側壁部１４Ａ−１４Ｄは、互いに対向して長手方向のＡ方向に延び、並行な第１の側壁部１４Ａ、第２の側壁部１４Ｂと、互いに対向して短手方向のＢ方向に延びる第３の側壁部１４Ｃ、第４の側壁部１４Ｄとが含まれる。第１の側壁部１４Ａは、複数の内部端子８を単列に並んだ状態で保持する凹部１８を有する。
【００４１】
このように、複数の内部端子８を単列に配列したオス型コネクタ４の場合、内部端子８の配列方向であるＡ方向に長くなるため、コネクタ全体として撓みやすくなる。これに対して絶縁性部材１２を４つの側壁部１４を有する箱型の形状とすることで、オス型コネクタ4にかかる力を分散させることができ、オス型コネクタ４の高強度化を実現することができる。
【００４２】
オス型コネクタ４を第１の回路基板に実装する際には、吸引ノズルを（図示せず）用いてオス型コネクタ４を吸着した上で、オス型コネクタ４を第１の回路基板に向けて搬送する。オス型コネクタ４を第１の回路基板に実装する際に上下方向に撓みやすい。また、オス型コネクタ４を第１の回路基板に実装した後に、オス型コネクタ４をメス型コネクタ６に嵌合させる際、並びに、その嵌合を解除する際にも上下方向に撓みやすくなる。特に第１の回路基板はフレキシブル基板であるため、上下方向に撓みやすい。これに対して、前述したようなオス型コネクタ４の構成によれば、絶縁性部材１２を箱型の形状とすることによって、オス型コネクタ４の強度を補強する効果をより効果的に発揮することができる。
【００４３】
さらに実施の形態のオス型コネクタ４では、絶縁性部材１２の第１の側壁部１４Ａで内部端子８を保持している。このため、側壁部１４Ａ−１４Ｄの内側の空間に別途、内部端子８を保持する列を設ける場合と比べて、横方向の寸法を小さくすることができる。これにより、オス型コネクタ４の小型化を図ることができる。
【００４４】
また、第１の側壁部１４Ａは内部端子８を保持する凹部１８を有しているため、応力の集中する部分が生じやすいが、第１の側壁部１４Ａに対向する第２の側壁部１４Ｂに第１の側壁部１４Ａと並行した列を形成している。このような第２の側壁部１４Ｂを設けることで、オス型コネクタ４が撓んだときに生じる応力を第１の側壁部１４Ａと第２の側壁部１４Ｂでバランス良く分散させることができ、特に第１の側壁部１４Ａでの応力の集中を抑制することができる。これにより、オス型コネクタ４の高強度化を実現することができる。
【００４５】
また実施の形態のオス型コネクタ４は、外部端子１０をさらに備え、外部端子１０は、互いに別体である第１の外部端子１０Ａおよび第２の外部端子１０Ｂを有する。第３の側壁部１４Ｃは第１の外部端子１０Ａを保持し、第４の側壁部１４Ｄは第２の外部端子１０Ｂを保持する。このように外部端子１０を２つ設けるとともに、内部端子８を保持する第１の側壁部１４Ａとは別の第３の側壁部１４Ｃと第４の側壁部１４Ｄにそれぞれ保持させることで、効率的な配置とすることができる。
【００４６】
また実施の形態のオス型コネクタ４によれば、内部端子８のそれぞれは、第１の側壁部１４Ａの凹部１８に係合する係合部８Ａと、係合部８Ａから延びる実装部８Ｂとを備える。実装部８Ｂが延びる方向は、第１の側壁部１４Ａに対して第２の側壁部１４Ｂが位置する側の逆側に向かうＢ１方向である。このような構成によれば、絶縁性部材１２の設計を行う際に、実装部８Ｂの形状による制約をなるべく受けないようすることができる。
【００４７】
また実施の形態のオス型コネクタ４によれば、絶縁性部材１２は樹脂製であり、第２の側壁部１４Ｂはその樹脂のみから成る列を形成している。このように構成することで、絶縁性部材１２を安価に作りつつ、第２の側壁部１４Ｂの列による補強構造も安価に作ることができる。
【００４８】
また実施の形態のオス型コネクタ４によれば、第２の側壁部１４Ｂの頂面は平坦である。このような構成によれば、第１の側壁部１４Ａのように凹部１８のある形状と比較して、応力の集中しやすい部分が生じにくくなり、オス型コネクタ４の更なる高強度化を実現することができる。
【００４９】
なお上記実施の形態では、内部端子８と外部端子１０の両方を設ける場合について説明したが、このような場合に限らない。外部端子１０を設けずに内部端子８のみを設ける場合であってもよい。また実施の形態では、第１の側壁部１４Ａと第２の側壁部１４Ｂが互いに平行である場合について説明したが、このような場合に限らない。平行ではないものの、並行していればよい。また実施の形態では、絶縁性部材１２が上方向であるＣ１方向にのみ開放されている場合について説明したが、このような場合に限らない。底部１６を設けずに、絶縁性部材１２の下方も開放することにより、上方と下方の両方が開放されていてもよい。すなわち、絶縁性部材１２は４つの側壁部１４Ａ−１４Ｄを有して、少なくとも一方向が開放されていればよい。
【００５０】
次に、図３Ａ−図３Ｃにメス型コネクタ６を示す。図３Ａは、メス型コネクタ６の斜視図、図３Ｂは、メス型コネクタ６の分解斜視図、図３Ｃは、メス型コネクタ６の平面図である。図３Ａ−図３Ｃに示すメス型コネクタ６の向きは、図１に示すメス型コネクタ６の向きと同じである。
【００５１】
図３Ａ−図３Ｃに示すように、メス型コネクタ６は、内部端子２０と、外部端子２２と、絶縁性部材２４とを備える。メス型コネクタ６は長手方向および短手方向を有し、長手方向をＤ方向、短手方向をＥ方向とする。長手方向と短手方向の両方に直交する上下方向をＦ方向とする。なお、Ｄ方向、Ｅ方向およびＦ方向は、前述したオス型コネクタ４のＡ方向、Ｂ方向およびＣ方向にそれぞれ対応する。
【００５２】
内部端子２０は、前述したオス型コネクタ４の内部端子８（図２Ａ等）と嵌合して電気的に接続する端子である。内部端子２０は複数設けられており、長手方向であるＤ方向に沿って配列されている。実施の形態における内部端子２０の列は複数列ではなく、一列のみの単列である。
【００５３】
内部端子２０のそれぞれは形状およびサイズが同じのものが用いられ、同じ導電性の材料から形成される（例えばリン青銅）。
【００５４】
外部端子２２は、前述したオス型コネクタ４の外部端子１０（図２Ａ等）と嵌合して電気的に接続する端子である。実施の形態の外部端子２２は図３Ｂなどに示すように、一体的な１つの環状の部材として設けられているが、分割されていてもよく、１つの環状の部材に限られるわけではない。
【００５５】
絶縁性部材２４は、内部端子２０と外部端子２２を互いに電気的に絶縁した状態で保持する部材である。絶縁性部材２４は、絶縁性の材料である樹脂から形成される（例えば液晶ポリマー）。
【００５６】
このような構成において、図３Ｂに示すように、複数の内部端子２０のうち、配列方向であるＤ方向の端には２つの内部端子２０Ａ、２０Ｂが位置している。端の内部端子（第１の内部端子）２０Ａは、Ｄ方向の一方側の端に位置する内部端子であり、端の内部端子（第２の内部端子）２０Ｂは、Ｄ方向の他方側の端に位置する内部端子である。端の内部端子２０Ａと端の内部端子２０Ｂの間には、端以外の内部端子２０として、複数の内部端子（第３の内部端子）２０Ｃが設けられている。
【００５７】
コネクタセット２が高周波信号を流す場合は、端の内部端子２０Ａ、２０Ｂと端以外の内部端子２０Ｃとの間でインピーダンスのずれが生じやすい。特に端の内部端子２０Ａ、２０Ｂをグランドに接続された端子とせず、信号端子とした場合、端の内部端子２０Ａ、２０Ｂはグランドに接続された内部端子２０に挟まれないため、端以外の内部端子２０Ｃとの間でインピーダンスずれが生じる。
【００５８】
また、複数の内部端子２０のうち最も外側にある端の内部端子２０Ａ、２０Ｂは、隣接する内部端子２０Ｃと外部端子２２に挟まれている。外部端子２２は、相手方コネクタであるオス型コネクタ４の誘い込み機能を持たせるために形状が限定され、端の内部端子２０Ａ、２０Ｂとの距離および対向する面積を自由に設計することができない。そのため、端の内部端子２０Ａ、２０Ｂのインピーダンスが他の内部端子２０Ｃのインピーダンスとずれることが問題になる。
【００５９】
これに対して、実施の形態のメス型コネクタ６はさらにインピーダンス調整端子２６を設けている。インピーダンス調整端子２６は、端の内部端子２０Ａ、２０Ｂのインピーダンスを、端以外の内部端子２０Ｃのインピーダンスに近付くように調整するための端子である。インピーダンス調整端子２６は、複数の内部端子２０とは独立して、端の内部端子２０Ａ、２０Ｂと沿う位置に設けられる。このようなインピーダンス調整端子２６を設けることで、端の内部端子２０Ａ、２０Ｂのインピーダンスを端以外の内部端子２０Ｃのインピーダンスに近付けてインピーダンスずれを抑制することができる。インピーダンス調整端子２６はグランドに接続しても、接続しなくとも良い。なお、インピーダンス調整端子２６をグランドに接続した方が、端の内部端子２０Ａ、２０Ｂのインピーダンスを大きく調整することが出来る。
【００６０】
インピーダンス調整端子２６を端の内部端子２０Ａ、２０Ｂと沿う位置に設ける際には、端の内部端子２０Ａ、２０Ｂのインピーダンスを変化させることができる位置であれば、任意の位置に設けてもよい。
【００６１】
実施の形態では特に、２つのインピーダンス調整端子２６を設けている。インピーダンス調整端子２６は、第１のインピーダンス調整端子２６Ａと、第２のインピーダンス調整端子２６Ｂとを備える。
【００６２】
第１のインピーダンス調整端子２６Ａは、端の内部端子２０Ａに対応し、端の内部端子２０Ａに隣接する位置に設けられる。第２のインピーダンス調整端子２６Ｂは、端の内部端子２０Ｂに対応し、端の内部端子２０Ｂに隣接する位置に設けられる。
【００６３】
図４に、第１のインピーダンス調整端子２６Ａと端の内部端子２０Ａを例にとり、それぞれの関係を表す斜視図を示す。図４は、第１のインピーダンス調整端子２６Ａ、端の内部端子２０Ａ、端の内部端子２０Ａに隣接する内部端子２０Ｃを示す斜視図である。
【００６４】
図４に示すように、第１のインピーダンス調整端子２６Ａは、端の内部端子２０Ａに対して、内部端子２０の配列方向であるＤ方向において対向している。Ｄ方向から見たときに、第１のインピーダンス調整端子２６Ａは端の内部端子２０Ａと部分的に重なるように対向している。端の内部端子２０Ａの側面２８において、第１のインピーダンス調整端子２６Ａが対向する領域を、対向領域２９とする。対向領域２９は、側面２８の全領域に対する部分的な領域である。
【００６５】
第１のインピーダンス調整端子２６Ａは、端の内部端子２０Ａに対してＤ方向に距離Ｄ１を空けて配置されている。距離Ｄ１は、第１のインピーダンス調整端子２６Ａと端の内部端子２０Ａの最短距離である。
【００６６】
このような構成では、第１のインピーダンス調整端子２６ＡのＤ方向の位置を変化させることで、第１のインピーダンス調整端子２６Ａと端の内部端子２０Ａとの距離Ｄ１を変化させることができる。これにより、端の内部端子２０Ａのインピーダンスの値を変化させることができる。また、第１のインピーダンス調整端子２６Ａの形状を変更することで、第１のインピーダンス調整端子２６Ａが端の内部端子２０Ａに対向する対向領域２９の面積を変化させることができる。これにより、端の内部端子２０Ａのインピーダンスの値を変化させることができる。
【００６７】
このように、距離Ｄ１および対向領域２９の面積を変化させることで、端の内部端子２０Ａのインピーダンスを様々な値に調整することができる。第１のインピーダンス調整端子２６Ａは複数の内部端子２０とは独立して設けているため、その位置および形状を様々に変更することができ、内部端子２０のインピーダンスをより所望の値に設定することができる。
【００６８】
特に実施の形態では、第１のインピーダンス調整端子２６Ａと端の内部端子２０Ａとの距離Ｄ１を、内部端子２０同士の間隔である距離Ｄ２以下に設定している。このような構成によれば、端の内部端子２０Ａのインピーダンスに対する第１のインピーダンス調整端子２６Ａの影響が大きくなり、端の内部端子２０Ａのインピーダンスの調整をより容易に行うことができる。
【００６９】
図４に示すように、第１のインピーダンス調整端子２６Ａは、複数の内部端子２０とは異なる形状および異なるサイズを有する。このような構成によれば、第１のインピーダンス調整端子２６Ａの形状とサイズを様々なバリエーションで設けることができる。
【００７０】
また実施の形態では、第１のインピーダンス調整端子２６Ａは、内部端子２０および外部端子２２とは異なる導電性の材料から形成されている（例えばステンレス）。このように異なる材料から形成することで、第１のインピーダンス調整端子２６Ａの材質が内部端子２０と外部端子２２と同じ材質に限らず、様々な材質を採用することができる。ステンレスを採用した場合、特に製造コストの低減と高強度化を実現できる。
【００７１】
また実施の形態では、端の内部端子２０Ａは高周波信号用の端子である。端の内部端子２０Ａが高周波信号用の端子の場合は、端以外の内部端子２０Ｃとのインピーダンスずれが問題になりやすいが、第１のインピーダンス調整端子２６Ａを設けているため、インピーダンスずれを効果的に抑制することができる。
【００７２】
また実施の形態では、内部端子２０に加えて外部端子２２がさらに設けられ、インピーダンス調整端子２６は、端に位置する内部端子２０Ａ、２０Ｂと外部端子２２との間に設けられる。このような構成によれば、インピーダンス調整端子２６によるインピーダンス調整を行いながら、外部端子２２に例えばオス型コネクタ４とメス型コネクタ６を互いに嵌合させる際の誘い込み機能を発揮させることができる。
【００７３】
また実施の形態では、図３Ｂなどに示すように、第１のインピーダンス調整端子２６Ａは複数の内部端子２０だけでなく、外部端子２２とも別体で独立して設けられている。第１のインピーダンス調整端子２６Ａを内部端子２０と外部端子２２の両方から独立させることで、第１のインピーダンス調整端子２６Ａをより自由に設計することができる。
【００７４】
また実施の形態では、第１のインピーダンス調整端子２６Ａに加えて第２のインピーダンス調整端子２６Ｂを設けている。第２のインピーダンス調整端子２６Ｂと端の内部端子２０Ｂとの関係は、上述した第１のインピーダンス調整端子２６Ａと端の内部端子２０Ａの関係と同様であるため、説明を省略する。第２のインピーダンス調整端子２６Ｂも、上述した第１のインピーダンス調整端子２６Ａの効果と同様の効果を奏することができる。
【００７５】
第２のインピーダンス調整端子２６Ｂを設けることで、端の内部端子２０Ａだけでなく端の内部端子２０Ｂのインピーダンスも調整することができる。これにより、複数の内部端子２０全体としてのインピーダンスずれをより精度良く調整することができる。
【００７６】
上述したように、実施の形態のメス型コネクタ６は、一列に配列された複数の内部端子２０と、複数の内部端子２０を互いに電気的に絶縁した状態で保持する絶縁性部材２４とを備える。メス型コネクタ６はさらに、複数の内部端子２０の中で端に位置する内部端子２０Ａ、２０Ｂと沿う位置に、複数の内部端子２０とは独立して設けられたインピーダンス調整端子２６を備える。このようにインピーダンス調整端子２６を設けることで、端の内部端子２０Ａ、２０Ｂのインピーダンスを調整することができる。端に位置する内部端子２０Ａ、２０Ｂは特に高周波信号の用途において他の端以外の内部端子２０Ｃとの間でインピーダンスずれが問題になりやすいが、インピーダンス調整端子２６を設けることで、そのずれを容易に抑制することができる。
【００７７】
またインピーダンス調整端子２６は、オス型コネクタ４とメス型コネクタ６の嵌合によってコネクタ内の樹脂が削れることを防御する、いわゆる「アーマー端子」としても機能させることができる。さらにはインピーダンス調整端子２６によって、ＶＳＷＲ特性を劣化させる要因となる不要共振の周波数帯を任意に変更することもできる。
【００７８】
なお上記実施の形態では、内部端子２０と外部端子２２の両方を設ける場合について説明したが、このような場合に限らない。外部端子２２を設けずに内部端子２０のみを設ける場合であってもよい。また実施の形態では、インピーダンス調整端子２６をメス型コネクタ６に設ける場合について説明したが、このような場合に限らず、オス型コネクタ４に設ける場合であってもよい。
【００７９】
図４に示した例に限らず、第１のインピーダンス調整端子２６Ａの形状は様々な形状をとることができる。例えば、図５に示すような第１のインピーダンス調整端子５０を採用してもよい。図５に示す第１のインピーダンス調整端子５０は、端の内部端子２０Ａとの間隔が距離Ｄ３であり、内部端子２０Ａの側面２８に対してＤ方向に対向する領域が対向領域５２である。前述した距離Ｄ１および対向領域２９に代えて、距離Ｄ３および対向領域５２を設定することで、端の内部端子２０Ａのインピーダンスを異なる値に設定することができる。
【００８０】
以上、上述の実施の形態を挙げて本発明を説明したが、本発明は上述の実施の形態に限定されない。本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲及び思想を逸脱することなく実現し得るものである。
【００８１】
なお、上記様々な実施の形態のうちの任意の実施の形態を適宜組み合わせることにより、それぞれの有する効果を奏するようにすることができる。
【産業上の利用可能性】
【００８２】
本発明は、オス型コネクタであれば適用可能である。
【符号の説明】
【００８３】
２  コネクタセット
４  オス型コネクタ
６  メス型コネクタ
８  内部端子
８Ａ  係合部
８Ｂ  実装部
１０  外部端子
１０Ａ  第１の外部端子
１０Ｂ  第２の外部端子
１２  絶縁性部材
１４Ａ  第１の側壁部
１４Ｂ  第２の側壁部
１４Ｃ  第３の側壁部
１４Ｄ  第４の側壁部
１６  底部
１８  凹部（保持部）
２０  内部端子
２０Ａ  端の内部端子（第１の内部端子）
２０Ｂ  端の内部端子（第２の内部端子）
２０Ｃ  端以外の内部端子（第３の内部端子）
２２  外部端子
２４  絶縁性部材
２６  インピーダンス調整端子
２６Ａ  第１のインピーダンス調整端子
２６Ｂ  第２のインピーダンス調整端子
２８  側面
２９  対向領域
５０  第１のインピーダンス調整端子
５２  対向領域
【図１】
2019220930.tif 000003
【図２Ａ】
2019220930.tif 000004
【図２Ｂ】
2019220930.tif 000005
【図２Ｃ】
2019220930.tif 000006
【図３Ａ】
2019220930.tif 000007
【図３Ｂ】
2019220930.tif 000008
【図３Ｃ】
2019220930.tif 000009
【図４】
2019220930.tif 000010
【図５】
2019220930.tif 000011
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
単列に配列された複数の内部端子と、
前記複数の内部端子を互いに電気的に絶縁した状態で保持する絶縁性部材と、を備え、
前記絶縁性部材は、少なくとも一方向が開放された箱型の形状を有し、４つの側壁部として、互いに対向して長手方向に延び、並行な第１および第２の側壁部と、互いに対向して短手方向に延びる第３および第４の側壁部とを有し、
前記第１の側壁部は、前記複数の内部端子を単列に並んだ状態で保持する保持部を有し、
外部端子をさらに備え、
前記外部端子は、互いに別体である第１の外部端子および第２の外部端子を有し、
前記第３の側壁部は前記第１の外部端子を保持し、前記第４の側壁部は前記第２の外部端子を保持する、
オス型コネクタ。
【請求項２】
前記絶縁性部材は、前記４つの側壁部を支持する底部を有する、請求項１に記載のオス型コネクタ。
【請求項３】
前記内部端子のそれぞれは、前記第１の側壁部の前記保持部に係合する係合部と、前記係合部から延びる実装部とを備え、
前記実装部が延びる方向は、前記第１の側壁部に対して前記第２の側壁部が位置する側の逆側に向かう方向である、請求項１又は２に記載のオス型コネクタ。
【請求項４】
前記絶縁性部材は樹脂製であり、前記第２の側壁部は前記樹脂のみから成る列を形成している、請求項１から３のいずれか１つに記載のオス型コネクタ。
【請求項５】
前記第２の側壁部の頂面は平坦である、請求項１から４のいずれか１つに記載のオス型コネクタ。
【国際調査報告】
2019220930.tif 000012
2019220930.tif 000013
2019220930.tif 000014